(57)【要約】【課題】外形を小さくし、電子機器内の実装スペースを小さくすることができる電池パックを提供する。【解決手段】電池１の一端側に、外部接続用の正極端子６ａ及び負極端子６ｂが設けられるとともに、前記電池１の正負の電極４ａ，４ｂと前記正極端子６ａ及び負極端子６ｂとを接続するための配線が形成された配線基板５を配置し、電池１の正負の電極４ａ，４ｂをそれぞれ配線基板５に接続するとともに、電池１の側部に、前記電池１に対向する内面に配線基板収容部が形成されるとともに、外面に前記配線基板５の正極端子６ａ及び負極端子６ｂが形成された樹脂成形品からなるカバー部材１５を、前記配線基板収容部に前記配線基板５を収容し、前記内面の周縁部を電池１に当接させて配置し、電池胴部２の周囲に前記カバー部材１５を覆って樹脂フィルム２６を巻付け、この樹脂フィルム２６を電池１とカバー部材１５の両方に貼付けて電池１とカバー部材１５とを固定した。【選択図】図１
2005251577.tif 000002
【特許請求の範囲】
【請求項１】
胴部と２つの端面を有し、前記２つの端面の一方または両方に正負の電極が形成された電池と、
前記電池の２つの端面と胴部の一側面とのうち、少なくとも前記２つの端面の一方に対応する形状を有する樹脂成形品からなり、前記電池の側部に配置されたカバー部材と、
前記電池の前記カバー部材が対応する一方の端面側に設けられ、前記電池の正負の電極にそれぞれ接続された外部接続用の正極端子及び負極端子と、
前記電池の胴部の周囲方向に前記カバー部材を覆って巻付けられ、前記電池とカバー部材の両方に貼付けられて前記電池と前記カバー部材とを固定する樹脂フィルムと、
からなることを特徴とする電池パック。
【請求項２】
電池の一端側に、前記電池の端面の外形内に収まる形状を有し、一方の面に外部接続用の正極端子及び負極端子が設けられるとともに前記電池の正負の電極と前記正極端子及び負極端子とを接続するための配線が形成された配線基板が、前記正極端子及び負極端子が設けられた面を前記電池とは反対側に向けて配置され、前記電池の正負の電極と前記配線基板とがその接続手段により接続され、カバー部材の前記電池に対向する内面に配線基板収容部が形成されるとともに外面に前記配線基板の前記正極端子及び負極端子に対応する端子露出用開口が形成され、前記カバー部材が、前記配線基板収容部に前記配線基板を収容し、前記内面の周縁部を前記電池に当接させて配置されていることを特徴とする請求項１に記載の電池パック。
【請求項３】
カバー部材の正極端子及び負極端子側の電池端面に対応する部分のうち、前記正極端子及び負極端子の配置部を除く部分が、中央部を前記カバー部材の外面に貼付けられ、両端部を電池の胴部の両面にそれぞれ貼付けられた樹脂テープにより前記電池に固定されていることを特徴とする請求項１または２に記載の電池パック。
【請求項４】
配線基板の電池対向面側に、前記配線基板の外形に対応する外形の絶縁性スペーサ枠が配置されており、前記配線基板は、前記スペーサ枠に支持されてこのスペーサ枠とともにカバー部材の配線基板収容部に収容されていることを特徴とする請求項２に記載の電池パック。
【請求項５】
スペーサ枠と配線基板の一方に複数のボス部が突設され、他方に前記複数のボス部にそれぞれ嵌合する複数のボス嵌合孔が設けられていることを特徴とする請求項４に記載の電池パック。
【請求項６】
電池の２つの端面の一方に正の電極が形成され、他方の端面に負の電極が形成されており、正極端子及び負極端子側の電池端面に形成された一方の電極と配線基板とを接続する手段は、Ｕ状に折曲され、一端部を前記一方の電極にスポット溶接された第１の電極板からなり、前記正極端子及び負極端子側とは反対側の電池端面に形成された他方の電極と前記配線基板とを接続する手段は、前記他方の電極にスポット溶接された第２の電極板と、一端を前記第２の電極板に接続され、前記電池の胴部の一側面に沿わせて設けられたリード部材と、このリード部材の他端に設けられた配線基板接続片とからなっており、前記第１の電極板の他端部と前記配線基板接続片がそれぞれスペーサ枠に支持されて、前記配線基板の電池対向面に形成された電池接続端子に接触されていることを特徴とする請求項４に記載の電池パック。
【請求項７】
カバー部材は、正極端子及び負極端子側の電池端面に対応する端面カバー部と電池胴部の一側面に対応する側面カバー部とを有する２方枠状部材からなっており、樹脂フィルムは、前記端面カバー部の外周面と前記側面カバー部の外側面とを覆って巻付けられていることを特徴とする請求項１または２に記載の電池パック。
【請求項８】
カバー部材は、２つの電池端面にそれぞれ対応する一対の端面カバー部と電池胴部の一側面に対応する側面カバー部とを有する３方枠状部材からなっており、樹脂フィルムは、前記一対の端面カバー部の外周面と前記側面カバー部の外側面とを覆って巻付けられていることを特徴とする請求項１または２に記載の電池パック。
【請求項９】
電池の２つの端面の一方に正の電極が形成され、他方の端面に負の電極が形成されており、正極端子及び負極端子側とは反対側の電池端面に形成された他方の電極と配線基板とを接続する手段は、前記他方の電極にスポット溶接された第２の電極板と、一端を前記第２の電極板に接続され、前記電池の胴部の一側面に沿わせて設けられたリード部材と、このリード部材の他端に設けられた配線基板接続片とからなっており、前記第２の電極板と前記リード部材の電極板接続部がカバー部材の正極端子及び負極端子側とは反対側の端面カバー部により覆われ、前記リード部材の電池胴部の一側面に沿う部分が前記カバー部材の側面カバー部により覆われていることを特徴とする請求項８に記載の電池パック。
【請求項１０】
カバー部材の正極端子及び負極端子側の端面カバー部の前記正極端子及び負極端子の配置部を除く部分と、前記正極端子及び負極端子側とは反対側の端面カバー部とがそれぞれ、中央部を前記カバー部の外面に貼付けられ、両端部を電池の胴部の両面にそれぞれ貼付けられた樹脂テープにより前記電池に固定されていることを特徴とする請求項８に記載の電池パック。
【請求項１１】
電池の胴部の両面は平坦面に形成され、前記胴部の両側面のうち、少なくとも樹脂フィルムが直接巻付けられる側面は、前記胴部の両面に向かって前記胴部の中央方向に後退する形状に形成されていることを特徴とする請求項１に記載の電池パック。
【発明の詳細な説明】
【技術分野】
【０００１】
この発明は電池パックに関する。
【背景技術】
【０００２】
従来、電池パックは、樹脂成形品からなるカバーケース内に電池を収容し、この電池の正負の電極をそれぞれ、前記カバーケースの一端面に形成された外部接続用の正極端子及び負極端子に接続した構成とされている（特許文献１、２参照）。
【特許文献１】特開平５―１７４８０９号公報
【特許文献１】特開２００４―６１５９号公報
【発明の開示】
【発明が解決しようとする課題】
【０００３】
しかし、樹脂成形品からなるカバーケース内に電池を収容した従来の電池パックは、その外形が大きく、したがって、電子機器内に大きな電池パック実装スペースを確保しなければならなかった。
【０００４】
この発明は、外形を小さくし、電子機器内の実装スペースを小さくすることができる電池パックを提供することを目的としたものである。
【課題を解決するための手段】
【０００５】
この発明の電池パックは、胴部と２つの端面を有し、前記２つの端面の一方または両方に正負の電極が形成された電池と、前記電池の２つの端面と胴部の一側面とのうち、少なくとも前記２つの端面の一方に対応する形状を有する樹脂成形品からなり、前記電池の側部に配置されたカバー部材と、前記電池の前記カバー部材が対応する一方の端面側に設けられ、前記電池の正負の電極にそれぞれ接続された外部接続用の正極端子及び負極端子と、前記電池の胴部の周囲方向に前記カバー部材を覆って巻付けられ、前記電池とカバー部材の両方に貼付けられて前記電池と前記カバー部材とを固定する樹脂フィルムとからなることを特徴とする。
【０００６】
この発明の電池パックにおいては、前記電池の一端側に、前記電池の端面の外形内に収まる形状を有し、一方の面に前記外部接続用の正極端子及び負極端子を設けるとともに前記電池の正負の電極と前記正極端子及び負極端子とを接続するための配線が形成された配線基板を、前記正極端子及び負極端子が設けられた面を前記電池とは反対側に向けて配置し、前記電池の正負の電極と前記配線基板とをその接続手段により接続し、前記カバー部材の前記電池に対向する内面に前記配線基板収容部を形成するとともに外面に前記配線基板の前記正極端子及び負極端子に対応する端子露出用開口を形成し、前記カバー部材を、前記配線基板収容部に前記配線基板を収容し、前記内面の周縁部を前記電池に当接させて配置するのが望ましい。
【０００７】
また、この電池パックにおいては、前記カバー部材の前記正極端子及び負極端子側の電池端面に対応する部分のうち、前記正極端子及び負極端子の配置部を除く部分を、中央部を前記カバー部材の外面に貼付け、両端部を電池の胴部の両面にそれぞれ貼付けた樹脂テープにより前記電池に固定するのが好ましい。
【０００８】
さらに、この電池パックにおいては、前記配線基板の電池対向面側に、前記配線基板の外形に対応する外形の絶縁性スペーサ枠を配置し、前記配線基板を、前記スペーサ枠に支持させてこのスペーサ枠とともに前記カバー部材の配線基板収容部に収容するのが望ましい。
【０００９】
その場合は、前記スペーサ枠と配線基板の一方に複数のボス部を突設し、他方に前記複数のボス部にそれぞれ嵌合する複数のボス嵌合孔を設けるのが好ましい。
【００１０】
また、前記電池の２つの端面の一方に正の電極を形成し、他方の端面に負の電極を形成する場合は、前記正極端子及び負極端子側の電池端面に形成された一方の電極と前記配線基板とを接続する手段を、Ｕ状に折曲され、一端部を前記一方の電極にスポット溶接された第１の電極板により構成し、前記正極端子及び負極端子側とは反対側の電池端面に形成された他方の電極と前記配線基板とを接続する手段を、前記他方の電極にスポット溶接された第２の電極板と、一端を前記第２の電極板に接続され、前記電池の胴部の一側面に沿わせて設けられたリード部材と、このリード部材の他端に設けられた配線基板接続片とにより構成し、前記第１の電極板の他端部と前記配線基板接続片をそれぞれ前記スペーサ枠に支持させて、前記配線基板の電池対向面に形成された電池接続端子に接触させるのが好ましい。
【００１１】
また、この電池パックにおいては、前記カバー部材を、前記正極端子及び負極端子側の電池端面に対応する端面カバー部と電池胴部の一側面に対応する側面カバー部とを有する２方枠状部材とし、前記樹脂フィルムを、前記端面カバー部の外周面と前記側面カバー部の外側面とを覆って巻付けるのが好ましい。
【００１２】
さらに、この電池パックにおいては、前記カバー部材を、２つの電池端面にそれぞれ対応する一対の端面カバー部と電池胴部の一側面に対応する側面カバー部とを有する３方枠状部材とし、前記樹脂フィルムを、前記一対の端面カバー部の外周面と前記側面カバー部の外側面とを覆って巻付けるのがより好ましい。
【００１３】
そして、前記カバー部材を前記３方枠状部材とし、且つ、上記のように電池の２つの端面の一方に正の電極を形成し、他方の端面に負の電極を形成するとともに、前記正極端子及び負極端子側とは反対側の電池端面に形成された他方の電極と前記配線基板とを接続する手段を、前記他方の電極にスポット溶接された第２の電極板と、一端を前記第２の電極板に接続され、前記電池の胴部の一側面に沿わせて設けられたリード部材と、このリード部材の他端に設けられた配線基板接続片とにより構成する場合は、前記第２の電極板と前記リード部材の電極板接続部を前記カバー部材の前記正極端子及び負極端子側とは反対側の端面カバー部により覆い、前記リード部材の電池胴部の一側面に沿う部分を前記カバー部材の側面カバー部により覆うのが好ましい。
【００１４】
また、前記カバー部材を前記３方枠状部材とする場合は、前記カバー部材の前記正極端子及び負極端子側の端面カバー部の端子露出用開口の形成部を除く部分と、前記正極端子及び負極端子側とは反対側の端面カバー部とをそれぞれ、中央部を前記カバー部の外面に貼付け、両端部を電池の胴部の両面にそれぞれ貼付けた樹脂テープにより前記電池に固定するのが望ましい。
【００１５】
さらに、前記電池の胴部の両面を平坦面に形成する場合は、前記胴部の両側面のうち、少なくとも前記樹脂フィルムが直接巻付けられる側面を、前記胴部の両面に向かって前記胴部の中央方向に後退する形状に形成するのが好ましい。
【発明の効果】
【００１６】
この発明の電池パックは、胴部と２つの端面を有し、前記２つの端面の一方または両方に正負の電極が形成された電池の側部に、前記電池の２つの端面と胴部の一側面とのうち、少なくとも前記２つの端面の一方に対応する形状を有する樹脂成形品からなるカバー部材を配置して、前記電池の前記カバー部材が対応する一方の端面側に前記電池の正負の電極にそれぞれ接続された外部接続用の正極端子及び負極端子を設け、前記電池の胴部の周囲に前記カバー部材を覆って樹脂フィルムを巻付けて、この樹脂フィルムを前記電池とカバー部材の両方に貼付けることにより前記電池と前記カバー部材とを固定したものであるため、外形を小さくし、電子機器内の実装スペースを小さくすることができる。
【００１７】
この発明の電池パックにおいては、前記電池の一端側に、前記電池の端面の外形内に収まる形状を有し、一方の面に前記外部接続用の正極端子及び負極端子を設けるとともに前記電池の正負の電極と前記正極端子及び負極端子とを接続するための配線が形成された配線基板を、前記正極端子及び負極端子が設けられた面を前記電池とは反対側に向けて配置し、前記電池の正負の電極と前記配線基板とをその接続手段により接続し、前記カバー部材の前記電池に対向する内面に前記配線基板収容部を形成するとともに外面に前記配線基板の前記正極端子及び負極端子に対応する端子露出用開口を形成し、前記カバー部材を、前記配線基板収容部に前記配線基板を収容し、前記内面の周縁部を前記電池に当接させて配置するのが望ましく、このようにすることにより、電池パックを容易に組立てることができる。
【００１８】
また、この電池パックにおいては、前記カバー部材の前記正極端子及び負極端子側の電池端面に対応する部分のうち、前記正極端子及び負極端子の配置部を除く部分を、中央部を前記カバー部材の外面に貼付け、両端部を電池の胴部の両面にそれぞれ貼付けた樹脂テープにより前記電池に固定するのが好ましく、このようにすることにより、前記電池と前記カバー部材とを充分に高い強度で固定することができる。
【００１９】
さらに、この電池パックにおいては、前記配線基板の電池対向面側に、前記配線基板の外形に対応する外形の絶縁性スペーサ枠を配置し、前記配線基板を、前記スペーサ枠に支持させてこのスペーサ枠とともに前記カバー部材の配線基板収容部に収容するのが望ましく、このようにすることにより、前記配線基板が前記電池の端面に接触しないようにし、前記配線基板に形成された配線が前記電池の端面を介して短絡するのを防ぐことができる。
【００２０】
その場合は、前記スペーサ枠と配線基板の一方に複数のボス部を突設し、他方に前記複数のボス部にそれぞれ嵌合する複数のボス嵌合孔を設けるのが好ましく、このようにすることにより、前記配線基板を前記スペーサ枠に、簡単に位置決めして支持させることができる。
【００２１】
また、前記電池の２つの端面の一方に正の電極を形成し、他方の端面に負の電極を形成する場合は、前記正極端子及び負極端子側の電池端面に形成された一方の電極と前記配線基板とを接続する手段を、Ｕ状に折曲され、一端部を前記一方の電極にスポット溶接された第１の電極板により構成し、前記正極端子及び負極端子側とは反対側の電池端面に形成された他方の電極と前記配線基板とを接続する手段を、前記他方の電極にスポット溶接された第２の電極板と、一端を前記第２の電極板に接続され、前記電池の胴部の一側面に沿わせて設けられたリード部材と、このリード部材の他端に設けられた配線基板接続片とにより構成し、前記第１の電極板の他端部と前記配線基板接続片をそれぞれ前記スペーサ枠に支持させて、前記配線基板の電池対向面に形成された電池接続端子に接触させるのが好ましく、このようにすることにより、電池パックの組立てを簡単にし、製造コストを低減することができる。
【００２２】
また、この電池パックにおいては、前記カバー部材を、前記正極端子及び負極端子側の電池端面に対応する端面カバー部と電池胴部の一側面に対応する側面カバー部とを有する２方枠状部材とし、前記樹脂フィルムを、前記端面カバー部の外周面と前記側面カバー部の外側面とを覆って巻付けるのが好ましく、このようにすることにより、前記電池の３つの角部、つまり前記正極端子及び負極端子側の電池端面の両側の角部と反対側の電池端面の一側の角部とを前記カバー部材により保護し、これらの角部に対する落下等による衝撃を緩衝することができる。
【００２３】
さらに、この電池パックにおいては、前記カバー部材を、２つの電池端面にそれぞれ対応する一対の端面カバー部と電池胴部の一側面に対応する側面カバー部とを有する３方枠状部材とし、前記樹脂フィルムを、前記一対の端面カバー部の外周面と前記側面カバー部の外側面とを覆って巻付けるのがより好ましく、このようにすることにより、前記電池の全ての角部（正極端子及び負極端子側の電池端面の両側の角部と反対側の電池端面の両側角部）を前記カバー部材により保護し、前記全ての角部に対する落下等による衝撃を緩衝することができる。
【００２４】
そして、前記カバー部材を前記３方枠状部材とし、且つ、上記のように電池の２つの端面の一方に正の電極を形成し、他方の端面に負の電極を形成するとともに、前記正極端子及び負極端子側とは反対側の電池端面に形成された他方の電極と前記配線基板とを接続する手段を、前記他方の電極にスポット溶接された第２の電極板と、一端を前記第２の電極板に接続され、前記電池の胴部の一側面に沿わせて設けられたリード部材と、このリード部材の他端に設けられた配線基板接続片とにより構成する場合は、前記第２の電極板と前記リード部材の前記電極板との接続部を前記カバー部材の前記正極端子及び負極端子側とは反対側の端面カバー部により覆い、前記リード部材の電池胴部の一側面に沿う部分を前記カバー部材の側面カバー部により覆うのが好ましく、このようにすることにより、前記第２の電極板と前記リード部材を前記カバー部材により保護することができる。
【００２５】
また、前記カバー部材を前記３方枠状部材とする場合は、前記カバー部材の前記正極端子及び負極端子側の端面カバー部の端子露出用開口の形成部を除く部分と、前記正極端子及び負極端子側とは反対側の端面カバー部とをそれぞれ、中央部を前記カバー部の外面に貼付け、両端部を電池の胴部の両面にそれぞれ貼付けた樹脂テープにより前記電池に固定するのが望ましく、このようにすることにより、前記電池と前記カバー部材とを充分に高い強度で固定することができる。
【００２６】
さらに、前記電池の胴部の両面を平坦面に形成する場合は、前記胴部の両側面のうち、少なくとも前記樹脂フィルムが直接巻付けられる側面を、前記胴部の両面に向かって前記胴部の中央方向に後退する形状に形成するのが好ましく、このようにすることにより、電池パックの外形をより小さくし、電子機器内の実装スペースをさらに小さくすることができる。
【発明を実施するための最良の形態】
【００２７】
図１〜図６はこの発明の第１の実施例を示しており、図１は電池パックの分解斜視図、図２及び図３はそれぞれ前記電池パックの組立て途中の状態の斜視図、図４は前記電池パックの組立て完了状態の斜視図、図５及び図６は図４のV―V線及びVI―VI線に沿う拡大断面図である。
【００２８】
この実施例の電池パックは、胴部２と２つの端面３ａ，３ｂを有し、前記２つの端面３ａ，３ｂの一方３ａに正の電極（以下、正極という）４ａが形成され、他方の端面３ｂに負の電極（以下、負極という）４ｂが形成された電池１と、この電池１の一端側に配置された配線基板５と、前記電池１の正負の電極４ａ，４ｂをそれぞれ前記配線基板５に接続する電池接続手段と、３方枠状のカバー部材１５と、前記電池１とカバー部材１５とを固定するための樹脂フィルム２６及び樹脂テープ２７，２８とにより構成されている。
【００２９】
前記電池１は、その内部構造は図示しないが、内面に耐食処理が施された金属ケース内に、交互に積層された正極側及び負極側電極体と、これらの電極体の間隔を保持するセパレータと、非水電解液とを収容したリチウムイオン二次電池等の非水電解液二次電池であり、その正極４ａと負極４ｂは、前記金属ケースの一端面と他端面とに前記金属ケースと絶縁して形成されている。
【００３０】
そして、この実施例では、胴部２の両面を平坦面に形成し、前記胴部２の両側面をそれぞれ、前記胴部２の両面（平坦面）に向かって前記胴部２の中央方向に後退する半円形の曲面に形成した、平面形状が矩形状の平型電池を用いている。
【００３１】
また、前記配線基板５は、前記電池１の端面３ａ．３ｂの外形内に収まる形状、例えば電池端面３ａ．３ｂの高さ（平型電池１の厚さ）及び長さ（平型電池１の幅）よりも小さい幅及び長さを有する横長の矩形状板からなっており、その一方の面の中央部から一側側の部分に、外部接続用の正極端子６ａ及び負極端子６ｂとサーミスタ端子７とが設けられ、他方の面に、電池温度測定用のサーミスタ素子（図示せず）が設けられるとともに、前記電池１の正負の電極４ａ，４ｂと前記正極端子６ａ及び負極端子６ｂとを接続するための電池接続配線と、前記サーミスタ素子と前記サーミスタ端子７とを接続するサーミスタ配線（いずれも図示せず）が形成されている。
【００３２】
なお、前記配線基板５の他方の面には、その両端側にそれぞれ、正極用及び負極用の電池接続端子８（図５参照）が設けられており、前記電池接続配線は、前記正極用及び負極用の電池接続端子８と前記配線基板５の一方の面に設けられた正極端子６ａ及び負極端子６ｂとを接続している。
【００３３】
そして、前記配線基板５は、前記電池１の一端側、例えば正極４ａが形成された端面側に、前記正極端子６ａ及び負極端子６ｂとサーミスタ端子７が設けられた面を前記電池１とは反対側に向けて配置されている。
【００３４】
また、前記電池１の正負の電極４ａ，４ｂをそれぞれ前記配線基板５に接続する電池接続手段のうち、前記正極端子６ａ及び負極端子６ｂとサーミスタ端子７側、つまり前記配線基板５の配置側（以下、配線基板側という）の電池端面３ａに形成された正極４ａと前記配線基板５とを接続する手段（以下、正極用電池接続手段という）は、Ｕ状に折曲され、一端部を前記正極４ａにスポット溶接された第１の電極板（以下、正極用電極板という）９からなっており、前記配線基板側とは反対側の電池端面３ｂに形成された負極４ｂと前記配線基板５とを接続する手段（以下、負極用電池接続手段という）は、前記負極４ｂにスポット溶接された第２の電極板（以下、負極用電極板という）１０と、一端を前記負極用電極板１０に接続され、前記電池１の胴部２の一側面に沿わせて設けられたリード部材１１と、このリード部材１１の他端に設けられた配線基板接続片１２とからなっている。
【００３５】
なお、この実施例では、前記リード部材１１に、帯状の金属板からなり、その両端部を屈り曲げ加工して電極板接続辺１１ａと前記配線基板接続片１２とを形成したものを用い、前記電極板接続辺１１ａを前記負極用電極板１０にスポット溶接により接続している。
【００３６】
そして、この実施例では、前記電池１の配線基板側とは反対側の電池端面３ｂ及び胴部２の一側面に、前記電池端面３ｂの略全体と前記胴部２の一側面の前記リード部材１１に対応する部分とを覆う形状に形成され、前記電池端面３ｂを覆う部分に前記負極４ｂに対応する開口１４を設けた絶縁紙１３を貼付け、その外側に前記負極用電極板１０とリード部材１１とを配置して、前記負極用電極板１０を、前記絶縁紙１３の開口１４内において電池１の負極４ｂにスポット溶接している。
【００３７】
一方、前記カバー部材１５は、ポリエチレン、ポリプロピレン等の衝撃吸収性を有する樹脂からなる成形品であり、前記電池１の２つの端面３ａ，３ｂにそれぞれ対応する一対の端面カバー部１５ａ，１５ｂと、前記電池１の胴部２の一側面に対応する側面カバー部１５ｃとを有する３方枠状部材からなっている。
【００３８】
このカバー部材１５の一対の端面カバー部１５ａ，１５ｂはそれぞれ、前記側面カバー部１５ｃ側の端部を除いて前記電池端面３ａ，３ｂの外形と略同じ形状、つまり、平型電池１の厚さと略同じ高さの帯板状部の一端を半円形に形成した形状に形成されており、これらの端面カバー部１５ａ，１５ｂの側面カバー部１５ｃ側の端部と前記側面カバー部１５ｃは、端面カバー部１５ａ，１５ｂの高さ（平型電池１の厚さ）と略同じ高さの帯板状に形成されている。
【００３９】
このカバー部材１５の各カバー部１５ａ，１５ｂ，１５ｃのうち、配線基板側の端面カバー部１５ａと側面カバー部１５ｃは、前記配線基板側とは反対側の端面カバー部１５ｂよりも厚く形成されている。
【００４０】
そして、前記配線基板側の端面カバー部１５ａには、その電池１に対向する内面に、その周縁部を除く全域にわたって配線基板収容部１６が形成されるとともに、外面に、前記配線基板５の前記正極端子６ａ及び負極端子６ｂとサーミスタ端子７とにそれぞれ対応する３つの端子露出用開口１７が形成されており、また、反対側の端面カバー部１５ｂの電池１に対向する内面には、前記負極用電極板１０の配置部に対応させて電極板収容部１８が形成され、前記側面カバー部１５ｃの電池１に対向する内面には、その周縁部を除く全域にわたって前記負極用電池接続手段のリード部材１１を収容するリード収容部１９が形成されている。
【００４１】
なお、カバー部材１５の各カバー部１５ａ，１５ｂ，１５ｃはそれぞれ、その外面からの押圧力により凹み変形しない範囲でできるだけ薄い肉厚に形成されており、配線基板側の端面カバー部１５ａの配線基板収容部１６の内奥面と、反対側の端面カバー部１５ｂの内面の電極板収容部１８を除く部分と、前記側面カバー部１５ｃのリード収容部１９の内奥面にはそれぞれ複数の補強リブ２０が一体に形成されている。
【００４２】
また、この実施例の電池パックは、前記配線基板５の電池対向面側に配置された、前記配線基板５の外形に対応する外形の絶縁性スペーサ枠２１をさらに備えている。
【００４３】
このスペーサ枠２１は、衝撃吸収性を有する樹脂（ポリエチレン、ポリプロピレン等）からなる成形品であり、その一端部に、前記正極用電極板９のＵ状折曲部を嵌合させる電極板支持部２２が形成され、他端部に、前記負極用電池接続手段のリード部材１１に設けられた配線基板接続片１２を支持する接続片支持部２３が形成されている。
【００４４】
また、前記スペーサ枠２１と配線基板５の一方、例えばスペーサ枠２１には、その配線基板５に対向する面に複数のボス部２４が突設され、他方、つまり配線基板５には、前記複数のボス部２４にそれぞれ嵌合する複数のボス嵌合孔２５が設けられており、前記配線基板５は、前記複数のボス部２４に前記複数のボス嵌合孔２５を嵌合させることにより、前記スペーサ枠２１に位置決めして支持されている。
【００４５】
そして、前記カバー部材１５は、その配線基板側の端面カバー部１５ａの内面に形成された配線基板収容部１６に前記配線基板５を前記スペーサ枠２１とともに収容して、前記電池１の外側にその２つの端面３ａ，３ｂ及び胴部２の一側面を囲むように嵌装され、前記配線基板側の端面カバー部１５ａの内面の周縁部を配線基板側の電池端面３ａに当接させ、反対側の端面カバー部１５ｂの内面の周縁部を反対側の電池端面３ｂに当接させ、前記側面カバー部１５ｃの内面の周縁部を前記電池１の胴部２の一側面に直接または前記絶縁紙１３を介して当接させて配置されており、前記正極用電極板９と前記負極用電池接続手段のリード部材１１に設けられた配線基板接続片１２は、前記スペーサ枠２１の電極板支持部２２と接続片支持部２３にそれぞれ支持されて、前記配線基板５の電池対向面に形成された正極用及び負極用の電池接続端子８にそれぞれ接触されている。
【００４６】
また、前記電池１とカバー部材１５とを固定するための樹脂フィルム２６及び樹脂テープ２７，２８はそれぞれ、ＰＥＴ（ポリエリレンテレフタレート）等の非伸縮性樹脂からなっている。
【００４７】
前記樹脂フィルム２６は、前記カバー部材１５の配線基板側の端面カバー部１５ａと反対側の端面カバー部１５ｂの両方の外縁間の距離と略同じ幅と、前記電池１の胴部２及びその一側面に当接された前記側面カバー部１５ｃの外囲長よりも前記反対側の端面カバー部１５ｂの高さ（平型電池１の厚さ）分だけ大きい長さを有する矩形状フィルムであり、図１に示したように、予め、その長さ方向の中央部を電池胴部２の側面形状に対応する半円形曲面に曲げ加工され、両端の前記側面カバー部１５ｃに対応する部分を電池胴部２の両面（平坦面）に対応する部分に対して略直角に曲げ加工されるとともに、その内面全体に粘着剤（図示せず）を塗布されている。
【００４８】
一方、前記樹脂テープ２７，２８のうち、一方の樹脂テープ２７は、前記正極端子６ａ及び負極端子６ｂの配置部、つまり前記カバー部材１５の配線基板側の端面カバー部１５ａの外面の端子露出用開口１７の形成部を除く部分に対応するカバー外面貼付け部の両側にそれぞれ張出し部を形成した形状のフィルムであり、図１に示したように、予め、前記張出し部を前記カバー外面貼付け部に対して略直角に曲げ加工されるとともに、その内面全体に粘着剤（図示せず）を塗布されている。
【００４９】
また、他方の樹脂テープ２８は、前記カバー部材１５の反対側の端面カバー部１５ｂの外面の半円形端部を除く部分の全体に対応するカバー外面貼付け部の両側にそれぞれ張出し部を形成した形状のフィルムであり、図１に示したように、予め、前記張出し部を前記カバー外面貼付け部に対して略直角に曲げ加工されるとともに、その内面全体に粘着剤（図示せず）を塗布されている。
【００５０】
そして、前記一方の樹脂テープ２７は、その中央部のカバー外面貼付け部を前記電池１の外側に嵌装されたカバー部材１５の配線基板側の端面カバー部１５ａのうち、前記端子露出用開口１７の形成部を除く部分の外面に貼付けられ、両端の張出し部を前記電池１の胴部２の両面及び前記端面カバー部１５ａの周面の両側部にそれぞれ貼付けられて前記配線基板側の端面カバー部１５ａを前記電池１に固定しており、また、前記他方の樹脂テープ２８は、その中央部のカバー外面貼付け部を前記電池１の外側に嵌装されたカバー部１５の反対側の端面カバー部１５ｂの外面に貼付けられ、両端の張出し部を前記電池１の胴部２の両面及び前記端面カバー部１５ｂの周面の両側部にそれぞれ貼付けられて前記反対側の端面カバー部１５ｂを前記電池１に固定している。
【００５１】
さらに、前記樹脂フィルム２６は、前記電池１の胴部２の周囲に、前記カバー部材１５の配線基板側と反対側の端面カバー部１５ａ，１５ｂの周面及び側面カバー部１５ｃの外面を覆って巻付けられ、前記電池１の胴部２と前記カバー部材１５の両方に貼付けられるとともに、その両端の前記反対側の端面カバー部１５ｂに対応する部分同士を貼合わされて前記電池１と前記カバー部材１５とを固定している。
【００５２】
なお、この樹脂フィルム２６は、前記樹脂テープ２７，２８の貼付け後に貼付けられており、したがって、前記樹脂テープ２７，２８の電池胴部２の両面及び端面カバー部１５ａ，１５ｂの周面の両側部に貼付けられた部分は前記樹脂フィルム２６により覆われている。
【００５３】
この電池パックの製造方法を説明すると、この電池パックは次のようにして組立てられる。
【００５４】
まず、図２に示すように、配線基板側の電池端面３ａに形成された正極４ａに前記正極用電極板９をスポット溶接し、反対側の電池端面３ｂ及び電池胴部２の一側面に前記絶縁紙１３を貼付けるとともに、その外側に前記負極用電極板１０とこの負極用電極板１０に電極板接続辺１１ａを予めスポット溶接しておいたリード部材１１とを配置して、前記負極用電極板１０を、前記絶縁紙１３の開口１４内において電池１の負極４ｂにスポット溶接する。
【００５５】
次に、前記配線基板５を前記スペーサ枠２１に支持させて前記カバー部材１５の配線基板側の端面カバー部１５ａの配線基板収容部１６に収容し、そのカバー部材１５を、図３に示したように、前記電池１の外側にその２つの端面３ａ，３ｂ及び胴部２の一側面を囲むように嵌装する。
【００５６】
次に、前記カバー部材１５の各カバー部１５ａ，１５ｂ，１５ｃの内面の周縁部を前記電池１に当接させ、その状態で、図４に示したように、前記樹脂テープ２７，２８を貼付け、次いで前記樹脂フィルム２６を巻付けて貼付けることにより電池パックを完成する。
【００５７】
前記電池パックは、前記電池１の一端側に、前記電池１の端面３ａ，３ｂの外形内に収まる形状を有し、一方の面に外部接続用の正極端子６ａ及び負極端子６ｂとサーミスタ端子７が設けられ、内面に電池温度測定用サーミスタ素子が設けられるとともに、前記電池１の正負の電極４ａ，４ｂと前記正極端子６ａ及び負極端子６ｂとを接続するための電池接続配線と、前記サーミスタ素子と前記サーミスタ端子７とを接続するサーミスタ配線とが形成された配線基板５を、前記正極端子６ａ及び負極端子６ｂとサーミスタ端子７が設けられた面を前記電池１とは反対側に向けて配置し、前記電池１の正負の電極４ａ，４ｂをそれぞれ前記配線基板５に接続するとともに、前記電池１の側部に、前記電池１に対向する内面に配線基板収容部１６が形成されるとともに、外面に前記配線基板５の正極端子６ａ及び負極端子６ｂとサーミスタ端子７に対応する端子露出用開口１７が形成された樹脂成形品からなるカバー部材１５を、前記配線基板収容部１６に前記配線基板５を収容し、前記内面の周縁部を前記電池１に当接させて配置し、前記電池１の胴部２の周囲に前記カバー部材１５を覆って前記樹脂フィルム２６を巻付け、この樹脂フィルム２６を前記電池１とカバー部材１５の両方に貼付けて前記電池１と前記カバー部材１５とを固定したものであるため、外形を小さくし、電子機器内の実装スペースを小さくすることができる。
【００５８】
すなわち、この実施例の電池パックは、前記電池１の２つの端面３ａ，３ｂと胴部２の一側面を前記樹脂成形品からなる３方枠状のカバー部材１５により囲み、前記電池１とカバー部材１５とを、前記電池１の胴部２の周囲に前記カバー部材１５を覆って巻付けて前記電池１とカバー部材１５の両方に貼付けた前記樹脂フィルム２６により固定したものであるため、電池パックの平面形状を、樹脂成形品からなるカバーケース内に電池を収容した従来の電池パックに比べて、少なくとも前記カバーケースの一方の側面の厚さに相当する寸法だけ小さくし、また厚さを、前記従来の電池パックに比べて、前記カバーケースの両面の厚さに相当する寸法だけ小さくすることができる。
【００５９】
しかも、上記実施例では、前記電池１の胴部２の両面を平坦面に形成し、前記胴部２の両側面をそれぞれ半円形の曲面に形成しているため、電池パックの外形をより小さくし、電子機器内の実装スペースをさらに小さくすることができる。
【００６０】
そして、この電池パックは、上記のように、前記カバー部材１５の正極側端面カバー部１５ａの内面の配線基板収容部１６に前記配線基板５を収容し、このカバー部材１５を、前記電池２の側部に、前記正極側及び負極側の端面カバー部１５ａ，１５ｂと側面カバー部１５ｃの内面の周縁部を前記電池１に当接させて配置したものであるため、容易に組立てることができる。
【００６１】
なお、上記実施例では、前記電池１の胴部２の両側面を半円形の曲面に形成しているが、前記側面は、前記胴部２の両面に向かって前記胴部２の中央方向に後退する形状であれば、半円形曲面に限らず、例えば胴部２の両側面と角部を斜めに面取りした形状としてもよい。
【００６２】
さらに、上記実施例では、前記電池１の胴部２の両側面を前記胴部２の両面に向かって前記胴部２の中央方向に後退する形状に形成しているが、前記胴部２の両側面のうち、前記樹脂フィルム２６が直接巻付けられる側面だけを前記形状に形成し、前記カバー部材１５により囲まれる側面は、前記胴部２の両面に対して略直角な形状に形成してもよい。
【００６３】
また、上記実施例の電池パックは、前記配線基板５の電池対向面側に、前記配線基板５の外形に対応する外形の絶縁性スペーサ枠２１を配置し、前記配線基板５を、前記スペーサ枠２１に支持させてこのスペーサ枠２１とともに前記カバー部材１５の配線基板収容部１６に収容しているため、前記配線基板５が前記電池の端面に接触することは無く、したがって、前記配線基板５に形成された配線が前記電池１の端面を介して短絡するのを防ぐことができる。
【００６４】
そして、上記実施例では、前記スペーサ枠２１と配線基板５の一方に複数のボス部２４を突設し、他方に前記複数のボス部２４にそれぞれ嵌合する複数のボス嵌合孔２５を設けているため、前記配線基板５を前記スペーサ枠２１に、簡単に位置決めして支持させることができる。
【００６５】
また、上記実施例の電池パックは、電池１の２つの端面３ａ，３ｂの一方に正極４ａを形成し、他方の端面に負極４ｂを形成したものであるが、配線基板側の電池端面３ａに形成された正極４ａと前記配線基板５とを接続する正極用電池接続手段を、Ｕ状に折曲され、一端部を前記正極４ａにスポット溶接された正極用電極板９により構成し、前記配線基板側とは反対側の電池端面３ｂに形成された負極４と前記配線基板５とを接続する負極用電池接続手段を、前記負極４ｂにスポット溶接された負極用電極板１０と、一端を前記負極用電極板１０に接続され、前記電池１の胴部２の一側面に沿わせて設けられたリード部材１１と、このリード部材１１の他端に設けられた配線基板接続片１２とにより構成し、前記正極用電極板９の他端部と前記配線基板接続片１２をそれぞれ前記スペーサ枠２１に支持させて、前記配線基板５の電池対向面に形成された正極用及び負極用の電池接続端子８に接触させているため、電池パックの組立てを簡単にし、製造コストを低減することができる。
【００６６】
なお、上記実施例では、前記負極用電池接続手段の負極用電極板１０とリード部材１１とをスポット溶接により接続しているが、前記リード部材１１は前記負極用電極板１０と一体に形成してもよく、また、前記リード部材１１をリード線とし、その一端を前記負極用電極板１０に半田付け接続し、他端に前記配線基板接続片１２を半田付け接続してもよい。
【００６７】
さらに、上記実施例の電池パックは、前記カバー部材１５を、２つの電池端面３ａ，３ｂにそれぞれ対応する一対の端面カバー部１５ａ，１５ｂと電池胴部２の一側面に対応する側面カバー部１５ｃとを有する３方枠状部材とし、前記樹脂フィルム２６前記一対の端面カバー部１５ａ，１５ｂの外周面と前記側面カバー部１５ｃの外側面とを覆って巻付けているため、前記電池１の全ての角部、つまり配線基板側の電池端面３ａの両側の角部と反対側の電池端面３ｂの両側角部を前記カバー部材１５により保護し、前記全ての角部に対する落下等による衝撃を緩衝することができる。
【００６８】
そして、上記実施例では、前記３方枠状のカバー部材１５の配線基板側とは反対側の端面カバー部１５ｂと側面カバー部１５ｃの内面に、前記負極用電池接続手段の負極用電極板１０とリード部材１１の収容部１８，１９を形成することにより、前記負極用電極板１０と前記リード部材１１の電極板接続部を前記反対側の端面カバー部１５ｂにより覆い、前記リード部材１１の電池胴部２の一側面に沿う部分を前記側面カバー部１５ｃにより覆っているため、前記負極用電極板１０と前記リード部材１１を前記カバー部材１５により保護することができる。
【００６９】
また、上記実施例では、前記３方枠状のカバー部材１５の配線基板側の端面カバー部１５ａの端子露出用開口１７の形成部を除く部分と、前記配線基板側とは反対側の端面カバー部１５ｂとをそれぞれ、中央部を前記カバー部１５ｂ，１５ｂの外面に貼付け、両端部を電池１の胴部２の両面にそれぞれ貼付けた樹脂テープ２７，２８により前記電池１に固定しているため、前記電池１とカバー部材１５とを充分に高い強度で固定することができる。
【００７０】
なお、上記実施例の電池パックは、単体の平型電池１を備えたものであるが、電池は、例えば図７に示したような、二次電池からなる複数本の棒状電池素子３０を並べてその両端に各電池素子の正極同士及び負極同士をそれぞれ接続する正極板３１ａ及び負極板３１ｂを設け、それを、熱収縮性樹脂等からなるパッケージフィルム３２によりパッケージングした平型電池２９でもよい。
【００７１】
また、上記実施例の電池パックは、胴部の両側面のうち、少なくとも樹脂フィルム２６が直接巻付けられる側面を前記胴部の両面に向かって前記胴部の中央方向に後退する形状に形成した平型電池を備えたものであるが、電池は、胴部の両側面を前記胴部の両面に対して略直角な形状に形成した角型電池でもよい。
【００７２】
図８はこの発明の第２の実施例を示す電池パックの分解斜視図であり、この実施例の電池パックは、角筒状の胴部３４と２つの端面３５ａ，３５ｂを有し、前記２つの端面３５ａ，３５ｂの一方３５ａに正極３６ａが形成され、他方の端面３５ｂに負極（図示せず）が形成された角型の平型電池３３を備え、絶縁紙１３、カバー部材１５、前記電池３３とカバー部材１５とを固定するための樹脂フィルム２６及び樹脂テープ２７，２８を、前記電池３３の形状に対応する形状に形成したものである。
【００７３】
なお、この実施例の電池パックは、前記電池３３の形状及び前記絶縁紙１３とカバー部材１５と樹脂フィルム２６及び樹脂テープ２７，２８の形状が異なるが他の構成は上述した第１の実施例と同じであるため、重複する説明は図に同符号を付して省略する。
【００７４】
図９はこの発明の第３の実施例を示す電池パックの分解斜視図であり、この実施例の電池パックは、一方の端面３ａに正極４ａと負極４ｂとを並べて形成した平型電池１Ａを備え、正極用電池接続手段及び負極用電池接続手段をそれぞれ、Ｕ状に折曲され、一端部を前記正極４ａ及び負極４ｂにスポット溶接された電極板９ａ，９ｂにより構成するとともに、スペーサ枠２１の一端部と他端部に、前記電極板９ａ，９ｂのＵ状折曲部を嵌合させる電極板支持部２２ａ，２２ｂを形成したのである。
【００７５】
なお、この電池パックの他の部分の構成は上述した第１の実施例と同じであるから、重複する説明は図に同符号を付して省略する。
【００７６】
図１０はこの発明の第４の実施例を示す電池パックの分解斜視図であり、この実施例の電池パックは、配線基板側の電池端面３ａに対応する端面カバー部１５ａと電池胴部２の一側面に対応する側面カバー部１５ｃとを有する２方枠状部材からなるカバー部材１５Ａを備え、電池１の胴部２の周囲に前記端面カバー部１５ａの外周面と前記側面カバー部の外側面とを覆って樹脂フィルム２６を巻付けるとともに、前記配線基板側とは反対側の電池端面３ｂと、絶縁紙１３の前記電池端面３ｂに貼付けられた部分と負極用電極板１０及びリード部材１１の電極板接続部を、樹脂テープ２８で覆ったものである。
【００７７】
なお、この電池パックの他の部分の構成は上述した第１の実施例と同じであるから、重複する説明は図に同符号を付して省略する。
【００７８】
ただし、この実施例では、前記樹脂テープ２８を、前記反対側の電池端面３ｂから前記側面カバー部１５ｃの端面にわたる領域全体に対応する形状に形成し、その両端に電池胴部２の両側面に対する貼付け片部を設けるとともに、前記樹脂フィルム２６の幅を、前記カバー部材１５の配線基板側の端面カバー部１５ａの外縁から前記電池１の反対側の端縁にわたる幅にしている。
【００７９】
この実施例の電池パックは、カバー部材１５Ａを、配線基板側の電池端面３ａに対応する端面カバー部１５ａと電池胴部２の一側面に対応する側面カバー部１５ｃとを有する２方枠状部材とし、前記樹脂フィルム２６を、前記端面カバー部１５ａの外周面と前記側面カバー部１５ｃの外側面とを覆って巻付けているため、前記電池１の３つの角部、つまり配線基板側の電池端面３ａの両側の角部と反対側の電池端面３ｂの一側の角部とを前記カバー部材１５Ａにより保護し、これらの角部に対する落下等による衝撃を緩衝することができる。
【００８０】
また、この電池パックでは、前記カバー部材１５Ａの前記端面カバー部１５ａの端子露出用開口１７の形成部を除く部分を、上述した第１の実施例と同様に樹脂テープ２７により電池１に固定しており、したがって、前記電池１と前記カバー部材１５Ａとの固定強度を高くすることができる。
【００８１】
図１１はこの発明の第５の実施例を示す電池パックの分解斜視図であり、この実施例の電池パックは、配線基板側の電池端面３ａに対応する形状のカバー部材１５Ｂを備え、前記カバー部材１５Ｂの端子露出用開口１７の形成部を除く部分を樹脂テープ２７により電池１に固定し、前記電池１の胴部２の周囲に前記カバー部材１５Ｂの外周面を覆って樹脂フィルム２６を巻付けるとともに、前記配線基板側とは反対側の電池端面３ｂと、絶縁紙１３の前記電池端面３ｂに貼付けられた部分と負極用電極板１０及びリード部材１１の電極板接続部を、樹脂テープ２８で覆い、電池胴部２の一側面と、前記絶縁紙１３の電池胴部２に貼付けられた部分及び前記リード部材１１の電池胴部２に沿う部分を前記樹脂フィルム２６で覆ったものである。
【００８２】
なお、この電池パックの他の部分の構成は上述した第１の実施例と同じであるから、重複する説明は図に同符号を付して省略する。
【００８３】
ただし、この実施例では、前記樹脂テープ２８を、前記反対側の電池端面３ｂの全体に対応する形状に形成し、その両端に電池胴部２の両側面に対する貼付け片部を設けるとともに、前記樹脂フィルム２６の幅を、前記カバー部材１５Ａの外縁から前記電池１の反対側の端縁にわたる幅にしている。
【００８４】
この実施例の電池パックは、配線基板側の電池端面３ａに対応する形状のカバー部材１５Ｂを備え、前記樹脂フィルム２６を、前記カバー部材１５Ｂの外周面を覆って巻付けているため、前記電池１の配線基板側の２つの角部を前記カバー部材１５Ｂにより保護し、これらの角部に対する落下等による衝撃を緩衝することができる。
【００８５】
また、この電池パックでは、前記カバー部材１５Ｂの端子露出用開口１７の形成部を除く部分を、上述した第１の実施例と同様に樹脂テープ２７により電池１に固定しており、したがって、前記電池１と前記カバー部材１５Ａとの固定強度を高くすることができる。
【００８６】
なお、上述した各実施例の電池パックは、平型電池１，１Ａ，２９，３３を備えたものであるが、電池は、平型電池に限らず、角棒状または丸棒状のものでもよい。
【００８７】
また、上記各実施例の電池パックは、一方の面に外部接続用の正極端子６ａ及び負極端子６ｂとサーミスタ端子７を設け、他方の面に電池温度測定用のサーミスタ素子（図示せず）が設けられるとともに、前記電池１の正負の電極４ａ，４ｂと前記正極端子６ａ及び負極端子６ｂとを接続するための電池接続配線と、前記サーミスタ素子と前記サーミスタ端子７とを接続するサーミスタ配線とを形成した配線基板５を備えているが、前記配線基板５を省略し、カバー部材１５，１５Ａ，１５Ｂの内面に、前記端子露出用開口１７にそれぞれ対応させて外部接続用の正極端子及び負極端子とサーミスタ端子を設けるか、あるいは、前記カバー部材１５，１５Ａ，１５Ｂの外面に外部接続用の正極端子及び負極端子とサーミスタ端子とを設けて前記端子露出用開口１７を省略してもよく、その場合は、前記電池１の正負の電極４ａ，４ｂと外部接続用の正極端子及び負極端子とをリード線等により接続するとともに、前記カバー部材１５，１５Ａ，１５Ｂの内面にサーミスタ素子を設けて、このサーミスタ素子と前記サーミスタ端子７とをリード線等により接続すればよい。
【００８８】
すなわち、この発明の電池パックは、胴部と２つの端面を有し、前記２つの端面の一方または両方に正負の電極が形成された電池と、前記電池の２つの端面と胴部の一側面とのうち、少なくとも前記２つの端面の一方に対応する形状を有する樹脂成形品からなり、前記電池の側部に配置されたカバー部材と、前記電池の前記カバー部材が対応する一方の端面側に設けられ、前記電池の正負の電極にそれぞれ接続された外部接続用の正極端子及び負極端子と、前記電池の胴部の周囲方向に前記カバー部材を覆って巻付けられ、前記電池とカバー部材の両方に貼付けられて前記電池と前記カバー部材とを固定する樹脂フィルムとからなるものであればよく、このような構成とすることにより、外形を小さくし、電子機器内の実装スペースを小さくすることができる。
【図面の簡単な説明】
【００８９】
【図１】この発明の第１の実施例を示す電池パックの分解斜視図。
【図２】前記電池パックの組立て途中の状態の斜視図。
【図３】前記電池パックの組立て途中の状態の斜視図。
【図４】前記電池パックの組立て完了状態の斜視図。
【図５】図４のV―V線に沿う拡大断面図。
【図６】図４のVI―VI線に沿う拡大断面図。
【図７】電池の変形例を示す斜視図。
【図８】この発明の第２の実施例を示す電池パックの分解斜視図。
【図９】この発明の第３の実施例を示す電池パックの分解斜視図。
【図１０】この発明の第４の実施例を示す電池パックの分解斜視図。
【図１１】この発明の第５の実施例を示す電池パックの分解斜視図。
【符号の説明】
【００９０】
１，１Ａ，２９，３３…電池、２，３４…胴部、３ａ，３ｂ，３５ａ，３５ｂ…電池端面、４ａ，３６ａ…正極、３１ａ…正極板、４ｂ…負極、３１ｂ…負極板、５…配線基板、６ａ…正極端子、６ｂ…負極端子、７…サーミスタ端子、８…電池接続端子、９，９ａ…正極用電極板、９ｂ，１０…負極用電極板、１１…リード部材、１２…配線基板接続片、１３…絶縁紙、１５，１５Ａ，１５Ｂ…カバー部材、１５ａ，１５ｂ…端面カバー部、１５ｃ…側面カバー部、１６…配線基板収容部、１７…端子露出用開口、１８…負極用電極板収容部、１９…リード部材収容部、２１…スペーサ枠、２２，２２ａ，２２ｂ…電極板支持部、２３…接続片支持部、２４…ボス部、２５…ボス嵌合孔、２６…樹脂フィルム、２７，２８…樹脂テープ。
【図１】
2005251577.tif 000003
【図２】
2005251577.tif 000004
【図３】
2005251577.tif 000005
【図４】
2005251577.tif 000006
【図５】
2005251577.tif 000007
【図６】
2005251577.tif 000008
【図７】
2005251577.tif 000009
【図８】
2005251577.tif 000010
【図９】
2005251577.tif 000011
【図１０】
2005251577.tif 000012
【図１１】
2005251577.tif 000013